(57)【特許請求の範囲】
【請求項１】
原稿が載置される上面を持つ板状の第１透過部材を有する固定読取部と、原稿を所定の搬送方向に自動的に搬送して排出部から排出する自動原稿搬送装置と、当該自動原稿搬送装置により搬送される原稿が移動しながら摺接する上面を持つ板状の第２透過部材を有する搬送読取部と、前記固定読取部では前記第１透過部材の下面側を移動しながら前記第１透過部材の上面に載置された原稿の画像を読み取り、前記搬送読取部では前記第２透過部材の下面側に静止して前記自動原稿搬送装置により搬送される原稿の画像を読み取る原稿読取手段と、を備える画像読取装置であって、
前記第１透過部材と前記第２透過部材との隣接する一端部同士を両透過部材の厚さ方向に重ね配置した重ね部を設け、
当該重ね部には、前記搬送される原稿を前記自動原稿搬送装置の前記排出部側に案内する掬い上げ案内部材が介挿されていることを特徴とする画像読取装置。
【請求項２】
前記重ね部には、前記固定読取部と前記搬送読取部との間を移動する前記原稿読取手段を案内する移動案内手段が設けられていることを特徴とする請求項１に記載の画像読取装置。
【請求項３】
前記移動案内手段は、前記掬い上げ案内部材と一体に形成されていることを特徴とする請求項２に記載の画像読取装置。
【請求項４】
前記原稿読取手段は、前記第１透過部材及び前記第２透過部材の下面に近接しケース内に固定される画像読取センサからなる密着型イメージセンサと、前記原稿読取手段の移動方向と直交する方向に延びる前記ケースを支持し且つ前記移動方向に沿って移動するキャリッジとを備え、
前記キャリッジが前記ケースを支持する構成は、前記原稿読取手段の移動方向と直交するとともに前記両透過部材面と平行に延びる軸線周りに回動し、且つ前記両透過部材面に垂直な方向に移動する構成であり、
前記移動案内手段は、前記ケースに設けられて前記移動方向及び前記移動方向と直交する方向に所定の間隔にて配置される一対の摺動部材を案内する一対の傾斜面を有する案内部材からなり、
前記一対の傾斜面が前記一対の摺動部材を案内するとき、前記一対の傾斜面が前記移動方向及び前記移動方向と直交する方向に所定の間隔にて配置されており、
且つ、前記一対の傾斜面のうち、下位置の第１透過部材から遠い方の傾斜面を有する案内部材の下面は、該下位置の第１透過部材の一端の下面側角部に対応する箇所を越えて上位置の第２透過部材の下面に向かって、該下面と平行に適宜寸法だけ延びる位置までは、当該下位置の第１透過部材の下面と同一平面状に形成され、
それに続いて上位置の第２透過部材の下面に接するように前記遠い方の傾斜面が形成されていることを特徴とする請求項２または３に記載の画像読取装置。
【請求項５】
前記原稿読取手段は、前記第１透過部材及び前記第２透過部材の下面に近接しケース内に固定される画像読取センサからなる密着型イメージセンサと、前記原稿読取手段の移動方向と直交する方向に延びる前記ケースを支持し且つ前記移動方向に沿って移動するキャリッジとを備え、
前記キャリッジが前記ケースを支持する構成は、前記原稿読取手段の移動方向と直交するとともに前記両透過部材面と平行に延びる軸線周りに回動し、且つ前記両透過部材面に垂直な方向に移動する構成であり、
前記移動案内手段は、前記ケースに設けられて前記移動方向及び前記移動方向と直交する方向に所定の間隔にて配置される一対の摺動部材を案内する一対の傾斜面を有する案内部材からなり、
前記一対の傾斜面が前記一対の摺動部材を案内するとき、前記一対の傾斜面が前記移動方向及び前記移動方向と直交する方向に所定の間隔にて配置されており、
且つ、前記一対の傾斜面のうち、下位置の第１透過部材から遠い方の傾斜面は、その始端部が、該下位置の第１透過部材の一端の下面側角部よりも原稿読取手段の移動方向の上流側から始まり、該下位置の第１透過部材における一端部の下面側角部を超えた適宜下流側までは、当該下位置の第１透過部材の下面よりも下方に凸湾曲状に形成され、その後続いて上位置の第２透過部材の下面に接するように前記遠い方の傾斜面が形成されていることを特徴とする請求項２または３に記載の画像読取装置。
【請求項６】
前記原稿読取手段は、前記第１透過部材及び前記第２透過部材の下面に近接しケース内に固定される画像読取センサからなる密着型イメージセンサと、前記原稿読取手段の移動方向と直交する方向に延びる前記ケースを支持し且つ前記移動方向に沿って移動するキャリッジとを備え、
前記キャリッジが前記ケースを支持する構成は、前記原稿読取手段の移動方向と直交するとともに前記両透過部材面と平行に延びる軸線周りに回動し、且つ前記両透過部材面に垂直な方向に移動する構成であり、
前記移動案内手段は、前記ケースに設けられて前記移動方向及び前記移動方向と直交する方向に所定の間隔にて配置される一対の摺動部材を案内する一対の傾斜面を有する案内部材からなり、
前記一対の傾斜面が前記一対の摺動部材を案内するとき、前記一対の傾斜面が前記移動方向及び前記移動方向と直交する方向に所定の間隔にて配置されており、
且つ、前記一対の傾斜面のうち、上位置の第１透過部材から遠い方の傾斜面は、その始端部が、両透過部材の重ね部よりも原稿読取手段の移動方向の上流側から始まり、下位置の第２透過部材における一端部の下面側角部を超えた適宜下流側まで、当該両透過部材の両下面よりも下方に凸湾曲状に形成されていることを特徴とする請求項２または３に記載の画像読取装置。
【請求項７】
前記一対の摺動部材は前記ケースにおける前記移動方向と直交する方向の両端部に設けられており、
前記案内部材は前記一対の摺動部材の配置位置に対応して設けられていることを特徴とする請求項４乃至６のいずれかに記載の画像読取装置。
【請求項８】
前記重ね部では、前記第１透過部材の上面より上方に前記第２透過部材が配置され、且つ、前記両透過部材が互いに平行に配置されていることを特徴とする請求項１乃至７のいずれかに記載の画像読取装置。
【発明の詳細な説明】
【技術分野】
【０００１】
本発明は、搬送される原稿の画像を読取位置で読取可能で、且つ固定（静止）された原稿の画像を読取ることができる読取手段を有する画像読取装置の構成に関するものである。
【背景技術】
【０００２】
一般的に、透明なガラス板上に静止固定された原稿の画像記録面の読み取りだけでなく、搬送される原稿の画像記録面も読み取ることができる画像読取装置においては、静止原稿を読み取るための固定読取部である面積の大きい第１透明板（透過部材）に隣接して、搬送される原稿を読取るための搬送読取部としての面積の小さい第２透明板（透過部材）が配置されている（特許文献１及び２参照）。
【０００３】
特許文献１及び２に示すように、第２透明板は、イメージスキャナ（画像読取手段）の走査方向の寸法が短く、且つその走査方向と直交する方向の寸法がイメージスキャナの延びる方向と平行に長い寸法を有している。そして、固定読取部である第１透明板（ＦＢ(Flat Bed)ガラスともいう）の下面に沿って走査移動する、ＣＩＳセンサ等のイメージスキャナ（画像読取手段）にて、装置本体に対して開閉可能な原稿押えカバー体で押えられている静止原稿の画像記録面を読み取る。他方、搬送される原稿を読み取る場合には、原稿押えカバー体の上面一側部位に備えられた自動原稿搬送装置により、給紙トレイ上に堆積された複数の枚の原稿を１枚ずつ分離しながら第２透明板上に搬送し、この原稿用透明板の下方に静止されている画像読取手段にて原稿の画像記録面を読み取った後、原稿押えカバー体の上面に形成された排紙トレイ部に排出するように構成されている。
【０００４】
その場合、特許文献１及び２に示すように、第２透明板上を通過した原稿を排紙トレイ部より搬送上流側に設けられた排紙ローラ対に向かって掬い上げて円滑に搬送案内するために、互いに水平な平行状に配置された第２透明板と第１透明板との境目に、掬い上げ案内（ガイド）部材が配置されていた。
【先行技術文献】
【特許文献】
【０００５】
【特許文献１】特開２００７−２５９２０９号公報（図３、図４、図６〜図８参照）
【特許文献２】特開２００８−１６７２３３号公報（図１５参照）
【発明の概要】
【発明が解決しようとする課題】
【０００６】
ところで、第２透明板の搬送下流側端部を通過した原稿を掬い上げるように案内するためには、当該掬い上げ案内部材の側断面は、その搬送上流側端部の端の位置が第２透明板の上面の位置より若干低く、搬送下流側に向かって上向き傾斜する上面を有する略三角形状に形成されているのが通常である（特許文献１及び２参照）。
【０００７】
そして、特許文献１及び２の構成によれば、第１及び第２透明板と異なる別部材として掬い上げ案内部材として構成し、第２透明板の搬送下流側端面に掬い上げ案内部材の搬送上流側端面が当接するように、第１透明板側に固定している。
【０００８】
従って、第２透明板の搬送下流側端面と掬い上げ案内部材の搬送上流側端面との突き合わせ当接部に隙間ができてしまい、その隙間から、搬送される原稿の紙粉やゴミが下方のイメージスキャナの読取面に落下して付着する。そうすると、そのイメージスキャナで読み取られた画像に黒筋や白筋と称するトラブルが発生する虞があった。
【０００９】
また、特許文献２に開示されているように、面積の大きい第１透明板の撓みを抑えて、イメージスキャナと第１透明板上の原稿との距離が一定となって、読み取られた画像の品質が劣化しないようにするため、掬い上げ案内部材の内部に剛性補強用の金属板を配置している。その結果、掬い上げ案内部材の上向き傾斜の傾斜角度が急角度となるように形成しているから、第２透明板上を通過した搬送原稿が急角度で搬送下流側に移り、その搬送下流側の排紙ローラ対にて搬送原稿を引き上げようとするので、第２透明板上に通過する原稿の上側を押圧して第２透明板の上面に密接させるための押え板に作用する上向き力が大きくなり、結果として、原稿が第２透明板の上面から浮き上がり、読取品質が低下するという問題もあった。
【００１０】
本発明は、このような課題を解消し、少なくとも紙粉やゴミが透明板（透過部材）の下方に落ちないようにした画像読取装置を提供することを目的とするものである。
【課題を解決するための手段】
【００１１】
上記目的を達成するために、請求項１に記載の発明は、原稿が載置される上面を持つ板状の第１透過部材を有する固定読取部と、原稿を所定の搬送方向に自動的に搬送して排出部から排出する自動原稿搬送装置と、当該自動原稿搬送装置により搬送される原稿が移動しながら摺接する上面を持つ板状の第２透過部材を有する搬送読取部と、前記固定読取部では前記第１透過部材の下面側を移動しながら前記第１透過部材の上面に載置された原稿の画像を読み取り、前記搬送読取部では前記第２透過部材の下面側に静止して前記自動原稿搬送装置により搬送される原稿の画像を読み取る原稿読取手段と、を備える画像読取装置であって、前記第１透過部材と前記第２透過部材との隣接する一端部同士を両透過部材の厚さ方向に重ね配置した重ね部を設け、当該重ね部には、前記搬送される原稿を前記自動原稿搬送装置の前記排出部側に案内する掬い上げ案内部材が介挿されているものである。
【００１２】
請求項２に記載の発明は、請求項１に記載の画像読取装置において、前記重ね部には、前記固定読取部と前記搬送読取部との間を移動する前記原稿読取手段を案内する移動案内手段が設けられているものである。
【００１３】
請求項３に記載の発明は、請求項２に記載の画像読取装置において、前記移動案内手段は、前記掬い上げ案内部材と一体に形成されているものである。
【００１４】
請求項４乃至６に記載の発明は、請求項２または３に記載の画像読取装置において、前記原稿読取手段は、前記第１透過部材及び前記第２透過部材の下面に近接しケース内に固定される画像読取センサからなる密着型イメージセンサと、前記原稿読取手段の移動方向と直交する方向に延びる前記ケースを支持し且つ前記移動方向に沿って移動するキャリッジとを備え、前記キャリッジが前記ケースを支持する構成は、前記原稿読取手段の移動方向と直交するとともに前記両透過部材面と平行に延びる軸線周りに回動し、且つ前記両透過部材面に垂直な方向に移動する構成であり、前記移動案内手段は、前記ケースに設けられて前記移動方向及び前記移動方向と直交する方向に所定の間隔にて配置される一対の摺動部材を案内する一対の傾斜面を有する案内部材からなり、前記一対の傾斜面が前記一対の摺動部材を案内するとき、前記一対の傾斜面が前記移動方向及び前記移動方向と直交する方向に所定の間隔にて配置されている。
そして、請求項４に記載の発明では、上記構成に加えて、前記一対の傾斜面のうち、下位置の第１透過部材から遠い方の傾斜面を有する案内部材の下面は、該下位置の第１透過部材の一端の下面側角部に対応する箇所を越えて上位置の第２透過部材の下面に向かって、該下面と平行に適宜寸法だけ延びる位置までは、当該下位置の第１透過部材の下面と同一平面状に形成され、それに続いて上位置の第２透過部材の下面に接するように前記遠い方の傾斜面が形成されているものである。
また、請求項５に記載の発明では、上記構成に加えて、前記一対の傾斜面のうち、下位置の第１透過部材から遠い方の傾斜面は、その始端部が、該下位置の第１透過部材の一端の下面側角部よりも原稿読取手段の移動方向の上流側から始まり、該下位置の第１透過部材における一端部の下面側角部を超えた適宜下流側までは、当該下位置の第１透過部材の下面よりも下方に凸湾曲状に形成され、その後続いて上位置の第２透過部材の下面に接するように前記遠い方の傾斜面が形成されているものである。
他方、請求項６に記載の発明では、上記構成に加えて、前記一対の傾斜面のうち、上位置の第１透過部材から遠い方の傾斜面は、その始端部が、両透過部材の重ね部よりも原稿読取手段の移動方向の上流側から始まり、下位置の第２透過部材における一端部の下面側角部を超えた適宜下流側まで、当該両透過部材の両下面よりも下方に凸湾曲状に形成されているものである。
【００１５】
請求項７に記載の発明は、請求項４乃至６のいずれかに記載の画像読取装置において、前記一対の摺動部材は前記ケースにおける前記移動方向と直交する方向の両端部に設けられており、前記案内部材は前記一対の摺動部材の配置位置に対応させて設けられているものである。
【００１６】
請求項８に記載の発明は、請求項１乃至７のいずれかに記載の画像読取装置において、前記重ね部では、前記第１透過部材の上面より上方に前記第２透過部材が配置され、且つ、前記両透過部材が互いに平行に配置されているものである。
【発明の効果】
【００１７】
請求項１に記載の発明によれば、原稿が載置される上面を持つ板状の第１透過部材を有する固定読取部と、原稿を所定の搬送方向に自動的に搬送して排出部から排出する自動原稿搬送装置と、当該自動原稿搬送装置により搬送される原稿が移動しながら摺接する上面を持つ板状の第２透過部材を有する搬送読取部と、前記固定読取部では前記第１透過部材の下面側を移動しながら前記第１透過部材の上面に載置された原稿の画像を読み取り、前記搬送読取部では前記第２透過部材の下面側に静止して前記自動原稿搬送装置により搬送される原稿の画像を読み取る原稿読取手段と、を備える画像読取装置であって、前記第１透過部材と前記第２透過部材との隣接する一端部同士を両透過部材の厚さ方向に重ね配置した重ね部を設け、当該重ね部には、前記搬送される原稿を前記自動原稿搬送装置の前記排出部側に案内する掬い上げ案内部材が介挿されているものである。
【００１８】
従って、両透過部材の一端部が隙間無く且つ一端部同士が重なって配置される結果、両透過部材の一端部の撓み変形も少なくなり、読取品質が低下しない。また、これら両透過部材の下面側に、紙粉やゴミが下方に落ちないから、原稿読取手段の読取面を汚すことがなく、読取品質を劣化させないという顕著な効果を奏するものである。
【００１９】
請求項１に記載の発明によれば、前記重ね部には、前記搬送される原稿を前記自動原稿搬送装置における排紙部側に案内するための掬い上げ案内部材が介挿されているものである。従って、掬い上げ案内部材の介在により両透過部材の一端部の撓み変形が一層少なくなり、読取品質が低下しないという効果を奏するものである。また、排紙部側への搬送経路である掬い上げ案内部材の高さを緩やかにできる結果、掬い上げ案内部材の高さ寸法を短くできて、自動原稿搬送装置付の画像読取装置の全体の高さをコンパクトに形成できるという効果を奏することができる。
【００２０】
【００２１】
請求項２に記載の発明によれば、前記重ね部には、前記固定読取部と前記搬送読取部との間を移動する前記原稿読取手段を案内する移動案内手段が設けられているものである。
【００２２】
このように構成すれば、前記重ね部に両透過部材の板厚方向に段差があっても、移動案内手段に沿って重ね部を渡るように、原稿読取手段が移動可能となり、重ね部における段差の部分に原稿読取手段の上面が衝突しない。その結果、原稿読取手段の画像読取部が傷付かず、読取品質を劣化させることがないという顕著な効果を奏するものである。
【００２３】
請求項４乃至６に記載の発明によれば、原稿読取手段は、前記第１透過部材及び前記第２透過部材の下面に近接しケース内に固定される画像読取センサからなる密着型イメージセンサと、前記原稿読取手段の移動方向と直交する方向に延びる前記ケースを支持し且つ前記移動方向に沿って移動するキャリッジとを備え、前記キャリッジが前記ケースを支持する構成は、前記原稿読取手段の移動方向と直交するとともに前記両透過部材面と平行に延びる軸線周りに回動し、且つ前記両透過部材面に垂直な方向に移動する構成であり、前記移動案内手段は、前記ケースに設けられて前記移動方向及び前記移動方向と直交する方向に所定の間隔にて配置される一対の摺動部材を案内する一対の傾斜面を有する案内部材からなり、前記一対の傾斜面が前記一対の摺動部材を案内するとき、前記一対の傾斜面が前記移動方向及び前記移動方向と直交する方向に所定の間隔にて配置されている。
そして、請求項４に記載の発明によれば、前記一対の傾斜面のうち、下位置の第１透過部材から遠い方の傾斜面を有する案内部材の下面は、該下位置の第１透過部材の一端の下面側角部に対応する箇所を越えて上位置の第２透過部材の下面に向かって、該下面と平行に適宜寸法だけ延びる位置までは、当該下位置の第１透過部材の下面と同一平面状に形成され、それに続いて上位置の第２透過部材の下面に接するように前記遠い方の傾斜面が形成されているものである。
請求項５に記載の発明によれば、前記一対の傾斜面のうち、下位置の第１透過部材から遠い方の傾斜面は、その始端部が、該下位置の第１透過部材の一端の下面側角部よりも原稿読取手段の移動方向の上流側から始まり、該下位置の第１透過部材における一端部の下面側角部を超えた適宜下流側までは、当該下位置の第１透過部材の下面よりも下方に凸湾曲状に形成され、その後続いて上位置の第２透過部材の下面に接するように前記遠い方の傾斜面が形成されているものである。
請求項６に記載の発明によれば、前記一対の傾斜面のうち、上位置の第１透過部材から遠い方の傾斜面は、その始端部が、両透過部材の重ね部よりも原稿読取手段の移動方向の上流側から始まり、下位置の第２透過部材における一端部の下面側角部を超えた適宜下流側まで、当該両透過部材の両下面よりも下方に凸湾曲状に形成されているものである。
【００２４】
従って、一方の透過部材の一端部を越えて先行して一方の摺動部材が他方の透過部材の下面及び案内傾斜面を通過している間は、他方の摺動部材が一方の透過部材の下面に摺接している状態であるので、両摺動部材の間に配置されている原稿読取手段の上面が下位置の第１透過部材における一端の下面側角部に衝突しないようにして原稿読取手段が通過できる。その結果、原稿読取手段の画像読取部が傷付かず、読取品質を劣化させることがないという顕著な効果を奏するものである。
【００２５】
請求項７に記載の発明によれば、前記一対の摺動部材は前記ケースにおける前記移動方向と直交する方向の両端部に設けられており、前記案内部材は前記一対の摺動部材の配置位置に対応させて設けられているものであるから、案内部材の存在によって原稿読取手段の画像読取範囲が狭められることがない。換言すれば、前記ケースにおけるその移動方向と直交する方向の両端部に案内部材を有していても、前記ケースの移動に邪魔にならないという顕著な効果を奏するものである。
請求項８に記載の発明によれば、前記重ね部では、前記第１透過部材の上面より上方に前記第２透過部材が配置され、且つ、両透過部材が互いに平行状態に配置されているものである。従って、搬送読取部において、両透過部材が同一平面に配置されている場合よりも、第２透過部材が上位置になり、排紙側に原稿を導くための掬い上げ案内部材における上向き傾斜面の傾斜角度を緩傾斜にすることができる。その結果、読取部を通過する原稿を上側に引き上げる作用が少なくなり、結果として、原稿が第２透過部材の上面から浮き上がることがなく、読取品質が安定するという効果を奏する。
【図面の簡単な説明】
【００２６】
【図１】本発明の自動原稿搬送装置及び画像読取装置を備えた多機能装置の斜視図である。
【図２】搬送読取部及び固定読取部を示す概略平面図である。
【図３】自動原稿搬送装置及び画像読取装置の側断面図である。
【図４】第１実施例の第１透過部材と第２透過部材の重ね部並びに第１傾斜案内面と第２傾斜案内面の側面を示す図である。
【図５】ケースの一方における一対の回転コロ並びに第１案内部材と第２案内部材の配置関係を示す要部拡大斜視図である。
【図６】第２実施例の第１透過部材と第２透過部材の重ね部並びに第１傾斜案内面と第２傾斜案内面の側面を示す図である。
【図７】一対の回転コロ並びに第１案内部材と第２案内部材の配置関係を示す概略断面図である。
【図８】第３実施例の第１透過部材と第２透過部材の重ね部並びに第１傾斜案内面と第２傾斜案内面の側面を示す図である。
【発明を実施するための形態】
【００２７】
以下、本発明を実施するための形態について図面に基づいて説明する。
【００２８】
本発明の実施形態は、ファクシミリ機能、スキャナ機能、複写機能及びプリンタ機能を備えた多機能装置１における画像読取装置２に適用したものである。
【００２９】
［多機能装置１の基本構造］
図１及び図２に示すように、多機能装置１のハウジング４の上面には、その前寄り部位に、ファクシミリ機能、スキャナ機能、複写機能を実行するためのテンキーや各種作業を指令するためのボタンキー、指令内容表示やエラー表示等を行う液晶パネルなどを備えた操作パネル部５が配置されている。
【００３０】
図１に示すように、多機能装置１におけるハウジング４の前側（図１において手前側）には開口部４ａが開口されており、その開口部４ａにはシートとしての用紙（以下、用紙という）を堆積状態で収容する上面開放状の上下２段の給紙カセット７ａ、７ｂがＸ軸線方向に沿ってそれぞれ挿抜可能に装着されている。その上段の給紙カセット７ａの上面に排紙トレイ７ｃが装着されている。そして、各給紙カセット７ａ、７ｂから選択的に給送された用紙は、ハウジング４内に設けられたインクジェット式などの画像記録部（不図示）に送られて画像記録した後、その用紙が排紙トレイ７ｃに排出される。
【００３１】
［画像読取装置及び自動原稿搬送装置］
操作パネル部５の後方には、スキャナ機能を実行するための画像読取装置２とそれに搭載される自動原稿搬送装置３とが配置されている。図２及び図３に示すように、画像読取装置２における本体ケース２ａの上面側には、後に詳述するように、固定読取部における原稿を載置するための第１透過部材３１と、搬送読取部における原稿が摺接するための第２透過部材３２とが掬い上げ案内部材３３を介して隣接して配置されている。また、その両透過部材３１、３２の隣り合う一端部同士を両透過部材の厚さ方向に段違い状態で重ね配置されているものである（図３、図４等参照）。その重ね部の態様は、後に詳述する。
【００３２】
画像読取装置２における本体ケース２ａはその一側端部（実施形態では、パネルカバー５から離間された後方の一側）でハウジング４に水平に設けられた枢軸（図不示）を中心に上下回動可能に装着されている。
【００３３】
画像読取装置２に対して原稿を搬送する自動原稿搬送装置３（ＡＤＦ( Auto Document Feeder) ともいう）は、本体ケース２ａの上方の略全体を覆う上カバー体１０と、上カバー体１０の上面に形成される排紙トレイ部１３と、この排紙トレイ部１３より上側に配置された給紙トレイ部１４とを備えている。給紙トレイ部１４にはカバー体１４ａが折り畳み可能に設けられている。なお、図１では、カバー体１４ａが給紙トレイ部１４上に折り畳まれた状態を示す。サイズの大きい原稿を給紙トレイ部１４に載置するときには、広げたカバー体１４ａの裏面側に原稿の後部が載置されることになる。上カバー体１０の下面には、押圧板１０ａが取付けられている（図３参照）。この押圧板１０ａにて第１透過部材３１上に画像記録面を当接させて載置する固定原稿を押圧するものである。従って、この第１透過部材３１が固定読取部となる。
【００３４】
合成樹脂製の上カバー体１０（請求項にいう原稿押えカバー体）はその後端（操作パネル部５と反対側）の一対のヒンジ手段１１ａ、１１ｂ（図２参照）を介して本体ケース２ａに対して上下方向に移動可能且つ開閉回動回動可能に装着されている。一対のヒンジ手段１１ａ、１１ｂが上下方向に移動可能に構成されている理由は、第１透過部材３１に載置する原稿が書籍等の分厚い原稿を上カバー体１０にて第１透過部材３１の表面と平行状に押えることができるようにするためである。
【００３５】
自動原稿搬送装置３は、給紙トレイ部１４の一側部（Ｙ方向の一端部）に位置する読取位置Ｒｅまで原稿を搬送する第１の搬送方向と、読取位置Ｒｅから排紙トレイ部１３まで原稿を搬送する第２の搬送方向とからなる略Ｕターン形状の反転搬送路体１８が備えられている。
【００３６】
給紙トレイ部１４には、一対の原稿ガイド１４ｂが設けられている。そして、周知の連動機構１４ｃより、一方の原稿ガイド１４ｂを手で動かすと、他方の原稿ガイド１４ｂが同時にＸ方向に移動して原稿のＸ方向の幅寸法に応じて広狭調節可能となるように構成されている。
【００３７】
自動原稿搬送装置３は、給紙トレイ部１４に堆積状態にて載置された複数枚の原稿を吸い込む吸込み部と吸込み部から１枚の原稿を分離して第１の搬送方向（読取位置Ｒｅに近づく方向）に搬送するための分離部と、搬送されてきた原稿を読取位置Ｒｅから第２の搬送方向に反転して排紙トレイ部１３に搬送するための反転搬送路体１８とを備えている。吸込み部は吸入ローラ１５対であり、その搬送下流側に、分離部としての分離ローラ１６と分離パッド１７とが配置されている。これらの部品は、図３に示すように、自動原稿搬送装置３の左端部の上側を覆う蓋カバー体１９の下方に配置されている。
【００３８】
分離部の下流側であって反転搬送路体１８の上端部には、第１駆動ローラ２０ａと第１ピンチローラ２０ｂからなる送り込みローラ部が配置されている。読取位置Ｒｅより上流側で反転搬送路体１８の下端部には、第２駆動ローラ２１が配置されている。さらに、読取位置Ｒｅより下流側で上向き傾斜の排出路体２２の上端（下流側端部）には、第３駆動ローラ２３と第３ピンチローラ２４よりなる排出ローラ部が配置されている。１つのＡＤＦモータ（不図示）からの回転動力は、上記吸入ローラ１５、分離ローラ１６、第１〜第３駆動ローラ２０ａ，２１，２３に、図不示のギヤ機構を介して伝達される。
【００３９】
［原稿読取手段の構成］
原稿の画像記録面を読取るためのライン形の原稿読取手段８は、図１及び図２のＹ軸方向に沿って延びる直線状のガイド部材２５に載置されて往復移動可能であり、原稿読取手段８は図１のＸ軸方向に直線的に長く形成されている。
【００４０】
図２、図３に示すように、固定読取部としての第１透過部材３１の左端部には、第１透過部材３１の上面に接着されたＸ軸方向に長い掬い上げ案内部材３３を挟んで左側の領域が搬送原稿読取部としての第２透過部材３２となるように形成されている。実施例では、第１透過部材３１及び第２透過部材３２は、透明で上下両面が平滑で平行面を有するガラス板にて構成されているが、合成樹脂製の透明材料であっても良い。
【００４１】
後述するように第１の搬送方向に搬送される原稿の画像記録面を下向きにして第２透過部材３２の上面に原稿が摺接し、第２透過部材３２の下面に静止させた原稿読取手段８で原稿の画像を読取る。原稿読取手段８の検出位置の上方が搬送原稿の読取位置Ｒｅ（図２参照）となる。なお、第２透過部材３２の上面に原稿を摺接するための原稿押え３４がばね３４ａにて下向き付勢されて配置されている（図３、図４参照）。
【００４２】
原稿読取手段８は、実施例では、丸軸状のガイド部材２５に載置されて姿勢が一定に保持されたキャリッジ３５と、この上向き開放状のキャリッジ３５の内部に配置されたケース３６と、ケース３６内に固定された画像読取センサ３７とが備えられている。実施例では、画像読取センサ３７は密着形イメージセンサ：ＣＩＳ（Contact Image Sensor）である。ケース３６はキャリッジ３５に対して上下動可能且つ回動可能に配置されている。より詳しくは、ケース３６の両端にて長手方向（Ｘ軸方向）に延びる一対の支軸３８がキャリッジ３５の両端に形成された案内溝３９に上下動自在且つ回動自在に嵌まっている（図５では一方のみ示す）。
【００４３】
画像読取センサ３７が密着形イメージセンサである場合、その焦点深度が浅いため、各透過部材３１、３２の下面に画像読取センサ３７の表面を近接させて位置保持する必要がある。そのため、ケース３６におけるＸ軸方向の両端部上面に、摺動部材の一例としてのそれぞれ一対の第１回転コロ４４及び第２回転コロ４５が配置されている（図５では片方の端部で示す）。第１回転コロ４４と第２回転コロ４５とは、Ｘ軸方向及びＹ軸方向の両方向に適宜隔てて配置されている（図４〜図７参照）。また、キャリッジ３５の底板とケース３６の下面との間に配置されるコイルばね４０等の付勢手段にてケース３６を上向きに付勢している。なお、キャリッジ３５の両端部が本体ケース２ａにおける第１透過部材３１及び第２透過部材３２の側端部を支持する部位の下面にてＹ軸方向に延びるガイド部材（図不示）に摺動可能に支持するように構成しても良い。
【００４４】
キャリッジ３５に連結されたタイミングベルトなどのベルト４１は、本体ケース２ａ内のうちＹ軸方向の両端部に配置された駆動プーリ４２と従動プーリ４３とに巻掛けされて、部図示の駆動モータにて回転させられる（図２参照）。
【００４５】
固定読取部における第１透過部材３１の一端部に搬送読取部における第２透過部材３２の一端部を、両透過部材３１、３２の厚さ方向に段違い状態で重ね配置させる。その場合、第１透過部材３１に対して掬い上げ案内部材３３を挟んで（介挿させて）第２透過部材３２を配置する。
【００４６】
両透過部材３１、３２の重ねの態様は、当該両透過部材３１、３２の板厚部が平行となるように配置するものであって、第１透過部材３１が下位置で且つ第２透過部材３２が上位置となる態様（図３〜図７）と、図８に示すように、第１透過部材３１が上位置で且つ第２透過部材３２が下位置となる態様の２通りである。その重なり部の寸法Ｈ１は任意である。このいずれの態様の重なり部であっても、両透過部材３１、３２の一端部が隙間無く且つ一端部同士が重なって配置される結果、両透過部材３１、３２の一端部の撓み変形も少なくなり、且つこれら両透過部材３１、３２の下面側に、紙粉やゴミが下方に落ちないから、原稿読取手段８の読取面を汚すことがなく、読取品質を劣化させない。なお、掬い上げ案内部材３３に対する各透過部材３１、３２の当接部は接着剤にて固定することにより、両透過部材３１、３２の位置保持及び強度が一層強化されるので好ましい。
【００４７】
第２透過部材３２を通過して下流側に搬送される原稿を自動原稿搬送装置３における排紙部側に案内するために、上記重ね部における掬い上げ案内部材３３は、第２透過部材３２の下流側端部の当接部から上向き傾斜面を備えている。
【００４８】
第１透過部材３１と第２透過部材３２との重ね部の下面をキャリッジ３５が渡って移動する場合に、上向き付勢されている画像読取センサ３７の上面が、下位置の透過部材の一端の下面側角部に衝突しないようにするため、移動案内手段４６が設けられる。
【００４９】
図４及び図５は、第１透過部材３１が下位置である場合の移動案内手段４６の第１実施例を示す。即ち、第１透過部材３１の一端部と第２透過部材３２の一端部との重ね部をキャリッジ３５が移動する方向に沿って渡る部位には、上記一対の回転コロ４４、４５を案内するための一対の案内傾斜面４８ａ、４９ａを有する案内部材４８、４９が備えられている。その場合、第１回転コロ４４と第２回転コロ４５との対は、画像読取センサ３７のＸ軸方向の両端外側部位のケース３６に設けられているので、対の案内部材４８、４９も、両回転コロ４４、４５と対応する個所に設けられ、画像読取センサ３７の表面（上面）と対応する個所には設けられていない。
【００５０】
第１回転コロ４４と第２回転コロ４５とは、Ｘ軸方向に距離（Ｌｘ１）だけ隔てられ、且つＹ軸方向に距離（Ｌｙ１）だけ隔てて配置されているため、第１回転コロ４４に対応する第１案内部材４８の第１案内傾斜面４８ａと第２回転コロ４５に対応する第２案内部材４９の第２案内傾斜面４９ａとは、Ｘ軸方向及びＹ軸方向の両方向に適宜隔てて配置されている（図４、図５参照）。
【００５１】
さらに、例えば、キャリッジ３５が下位置である第１透過部材３１側から第２透過部材３２に乗り移る方向に移動する場合に、側面投影視において、第１案内部材４８の下面は、第１透過部材３１の一端の下面側角部３１ａに対応する個所を越えて第２透過部材３２の下面側に向かって、該下面と平行に適宜寸法だけ延びる位置までは、当該第１透過部材３１の下面と同一平面状に形成されている。それに続いて第２透過部材３２の下面に接するように第１案内傾斜面４８ａが形成される（図４の二点鎖線参照）。他方、第２案内部材４９では、同じく側面投影視において、第１透過部材３１の一端の下面側角部３１ａの個所若しくはその下面側角部３１ａに対応する個所を越えて直近の下流側の位置から、第２案内傾斜面４９ａが第２透過部材３２の下面に接するように直線的に形成されているのである。ここで下流側とはキャリッジ３５が第１透過部材３１側から第２透過部材３２に乗り移る方向に移動する場合におけるキャリッジ３５の移動方向の下流側をいう、以下同じ。なお、第１実施例では、第１案内傾斜面４８ａと第２案内傾斜面４９ａとは、直線且つ平行状に形成されている。
【００５２】
このように構成すると、第１透過部材３１の一端部を越えて先行して第１回転コロ４４が第１透過部材３１の下面と同一平面状の第１案内部材４８の下面及びそれに続く第１案内傾斜面４８ａを通過している間は、第２回転コロ４５が第１透過部材３１の下面に摺接している状態であるので、両回転コロ４４、４５の間に配置されている画像読取センサ３７の上面が、下位置の第１透過部材３１における一端の下面側角部３１ａに衝突しないようにしてキャリッジ３５が通過できるのである（図４の二点鎖線及び実線状態参照）。第２透過部材３２の下面側に位置するキャリッジ３５を第１透過部材３１の下面側に向かって移動させる場合も同様にして画像読取センサ３７の上面は、下位置の第１透過部材３１の一端の下面側角部３１ａに衝突しないのである。その結果、画像読取センサ３７の上面である読取部が傷付かず、読取品質が劣化しないという顕著な効果を奏するものである。
【００５３】
そして、両回転コロ４４、４５が共に第２透過部材３２の下面に摺接するまでキャリッジ３５が移動すると、画像読取センサ３７の上面が第２透過部材３２の下面に近接し、且つ平行状となる。
【００５４】
図６に示す第２実施例では、側面投影視において、第１案内部材４８の下面の第１案内傾斜面４８ａは、その始端部が第１透過部材３１の一端の下面側角部３１ａよりもキャリッジ３５の移動方向の上流側から始まり、第１透過部材３１における一端の下面側角部３１ａを越えた適宜下流側までは、当該第１透過部材３１の下面よりも下方に凸湾曲状に形成される。その後続いて第２透過部材３２の下面に接するように第１案内傾斜面４８ａが形成されている（図６の二点鎖線参照）。他方、第２案内部材４９では、同じく側面投影視において、第１透過部材３１の一端の下面側角部３１ａの個所若しくはその下面側角部３１ａに対応する個所を越えて直近の下流側の位置から、第２案内傾斜面４９ａが第２透過部材３２の下面に接するように直線的に形成されているのである。
【００５５】
この第２実施例でも、第１透過部材３１と第２透過部材３２との重ね部の下面を渡ってキャリッジ３５がＹ軸方向に往復移動する場合にも、上向き付勢されている画像読取センサ３７の上面が、下位置の第１透過部材３１における一端の下面側角部３１ａに衝突しないのである。
【００５６】
図８に示す第３実施例では、第１透過部材３１の下面よりも下方に第２透過部材３２を平行状にて一部重ね配置したものである。その場合、側面投影視において、第１回転コロ４４に対応する第１案内部材４８の第１案内傾斜面４８ａは、その始端部が第１、第２両透過部材３１、３２の重なり部よりもキャリッジ３５の移動方向の上流側から始まり、第２透過部材３２における一端の下面側角部３２ａを越えた適宜下流側まで、当該両透過部材３１、３２の両下面よりも下方に凸湾曲状に形成される（図８の二点鎖線参照）。他方、第２案内部材４９では、第２回転コロ４５に対応する第２案内傾斜面４９ａは、同じく側面投影視において、第１透過部材３１の下面から第２透過部材３２の一端の下面側角部３２ａに向かって下向き直線状に形成されるのである（図８の実線状態参照）。
【００５７】
この第３実施例においても、キャリッジ３５が第１透過部材３１の下面と第２透過部材３２の下面とに渡ってＹ軸方向に沿って往復移動する場合にも、上向き付勢されている画像読取センサ３７の上面が、下位置の第２透過部材３２における一端の下面側角部３２ａに衝突しないのである。このように、いずれの実施例でも、画像読取センサ３７の上面が近接する透過部材にこすれて傷つくことがなく、読取品質を劣化させない。
【００５８】
第１透過部材３１の上面よりも第２透過部材３２を上方にて重ねた場合には、搬送読取部において、従来の場合（第１、第２透過部材３１、３２が同一平面の場合）よりも、第２透過部材３２が上位置になり、排出路体２２に原稿を導くための掬い上げ案内部材３３における上向き傾斜面の傾斜角度を緩傾斜にすることができる。その結果、読取部Ｒｅを通過する原稿を上側に引き上げる作用が少なくなり、結果として、原稿が第２透過部材３２の上面から浮き上がることがなく、読取品質が安定するという効果を奏する。
【００５９】
第１透過部材３１の下面よりも第２透過部材３２を下方にて重ねた場合には、第２透過部材３２における搬送原稿の読取部Ｒｅを第１透過部材３１の一端部に接近させることが可能となるので、画像読取装置２のＹ軸方向の寸法を短くすることができるという効果を奏するものである。
【００６０】
第１案内部材４８及び第２案内部材４９は、掬い上げ案内部材３３におけるＸ軸方向の両端に隣接させて、当該掬い上げ案内部材３３と一体的に形成しても良い（図７参照）。他の実施例としては、第１案内部材４８及び第２案内部材４９を、本体ケース２ａにおける上板側であって、第１透過部材３１及び第２透過部材３２の側縁の支持個所の下面側に一体的に形成しても良いし、別体に形成された第１案内部材４８及び第２案内部材４９を、本体ケース２ａにおける上板の下面側に両面テープ等の粘着剤等にて固定しても良い。
【００６１】
一対の摺動部材は、回転コロ４４、４５に代えて、回転しない凸湾曲面を有する部位を摩擦係数の小さい部材にて形成しても良い。
【００６２】
画像読取センサ３７がＣＣＤ撮像素子のように、焦点深度が大きいものである時には、キャリッジ３５に載る画像読取センサ３７を第１、第２透過部材３１、３２の下面に向かって押し付けて近接させる必要がない。従って、画像読取センサ３７の上面が低い側の第１透過部材３１または第２透過部材３２の下面より下方位置にて平行状に移動させることができ、上記のような、摺動部材４４、４５や案内部材４８、４９は不要となる。
【００６３】
以上のように、固定読取部における第１透過部材３１の一端部に搬送読取部における第２透過部材３２の一端部を、両透過部材３１、３２の厚さ方向に段違い状態で重ね配置させることにより、紙粉やゴミが透過部材の下方に落ちないようにするとともに、固定読取部と搬送読取部との間に透過部材の板厚さ方向に連通する隙間が生じない結果、原稿が通過し、または載置することにより透過部材の上方で発生する静電気が透過部材の下方に及ぶことがなく、ＣＩＳの静電気対策を図ることができ、且つ透過部材の支持強度の向上、さらに画像読取装置の小型化を図ることができる。
【符号の説明】
【００６４】
１      多機能装置
２      画像読取装置
２ａ    本体ケース
３      自動原稿搬送装置
４      ハウジング
８      原稿読取手段
１０    原稿押えカバー体としての上カバー体
１８    反転搬送路体
３１    第１透過部材
３２    第２透過部材
３３    掬い上げ案内部材
３４    原稿押え
３５    キャリッジ
３６    ケース
３７    画像読取センサ
３８    支軸
４０    コイルバネ
４４    摺動部材の一例としての第１回転コロ
４５    同じく第２回転コロ
４６    移動案内手段
４８    第１案内部材
４８ａ  第１案内傾斜面
４９    第２案内部材
４９ａ  第２案内傾斜面
【図１】
0004771104.tif 000002
【図２】
0004771104.tif 000003
【図３】
0004771104.tif 000004
【図４】
0004771104.tif 000005
【図５】
0004771104.tif 000006
【図６】
0004771104.tif 000007
【図７】
0004771104.tif 000008
【図８】
0004771104.tif 000009